【事件の表示】
　特許第３０８１６７６号「超音波治療装置」の請求項１に係る特許に対する特許異議の申立てについて、次のとおり決定する。
【結　論】
　訂正を認める。
　特許第３０８１６７６号の請求項１に係る特許を取り消す。
【理　由】
〔１〕手続の経緯
　特許第3081676号の請求項１に係る発明は、平成３年７月24日に特許出願され、平成12年６月23日にその特許権の設定登録がされ、その後異議申立人中島敏之により特許異議の申立てがされ、取消しの理由が通知され、その指定期間内である平成13年10月１日に訂正請求がされたものである。
　
〔２〕訂正の適否についての判断
(1)訂正の内容
　特許権者の求めている訂正の内容は、以下のとおりである。
　ア.訂正事項a
　特許請求の範囲に記載される「超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を常時行う連続吸引モードと、前記超音波発振手段による超音波発振に連動して前記吸引手段による吸引を行う連動吸引モードとを有する制御手段と、これらのモードを切換えるための切換え手段とを設けたことを特徴とする超音波治療装置。」を
「超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を連続的に行うとともに、この吸引動作とは独立して前記超音波発振手段による超音波発振を制御可能な連続吸引モードと、前記超音波発振手段による超音波発振に連動して前記吸引手段による吸引を行う連動吸引モードとを有する制御手段と、これらのモードを切換えるための切換え手段とを設けたことを特徴とする超音波治療装置。」と訂正する。
　イ.訂正事項b
　発明の詳細な説明の段落【0011】に記載される「本発明の超音波治療装置は、超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を常時行う連続吸引モードと、前記超音波発振手段による超音波発振に連動して前記吸引手段による吸引を行う連動吸引モードとを有する制御手段と、これらのモードを切換えるための切換え手段とを設けたことを特徴としている。従って、２つの吸引モードを選択可能に設けたことで、用途に応じて適切な吸引動作が選択される。」を
「本発明の超音波治療装置は、超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を連続的に行うとともに、この吸引動作とは独立して前記超音波発振手段による超音波発振を制御可能な連続吸引モードと、前記超音波発振手段による超音波発振に連動して前記吸引手段による吸引を行う連動吸引モードとを有する制御手段と、これらのモードを切換えるための切換え手段とを設けたことを特徴としている。従って、２つの吸引モードを選択可能に設けたことで、用途に応じて適切な吸引動作が選択される。」と訂正する。
(2)訂正の目的の適否、新規事項の有無及び拡張・変更の存否
　上記訂正事項aは、発明を特定する事項である「吸引を常時行う連続吸引モード」をこれに含まれる「吸引を連続的に行うとともに、この吸引動作とは独立して前記超音波発振手段による超音波発振を制御可能な連続吸引モード」と変更するものであるが、「吸引を連続的に行うとともに、この吸引動作とは独立して前記超音波発振手段による超音波発振を制御可能な連続吸引モード」については、願書に添付された明細書の段落【0015】に「制御回路12には術者が超音波発振、送水などを制御するためのフットスイッチ14が接続されている。操作パネル14には、２種類の吸引モードを設定するためのスイッチ16a、16bを有するモード切換スイッチ16が設けられている。」、同段落【0017】に「超音波発振のオン・オフに拘わらず吸引動作は連続して行われる。」と記載されているから、特許請求の範囲の減縮を目的とした明細書の訂正に該当し、また、上記訂正事項bは、上記訂正事項aと整合を図るものであるから、明りょうでない記載の釈明を目的とした明細書の訂正に該当し、いずれも、新規事項の追加に該当せず、実質的に特許請求の範囲を拡張又は変更するものではない。
(3)むすび
　したがって、上記訂正は、特許法第120条の４第２項及び同条第３項で準用する同法第126条第２項及び第３項の規定に適合するので、当該訂正を認める。　
　
〔３〕特許異議の申立てについての判断
(1)本件発明
　上記〔２〕で示したように上記訂正が認められるから、本件の請求項１に係る発明（以下「本件発明」という。）は、上記訂正に係る訂正明細書の特許請求の範囲の請求項１に記載された事項により特定される次のとおりのものである。
「超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を連続的に行うとともに、この吸引動作とは独立して前記超音波発振手段による超音波発振を制御可能な連続吸引モードと、前記超音波発振手段による超音波発振に連動して前記吸引手段による吸引を行う連動吸引モードとを有する制御手段と、これらのモードを切換えるための切換え手段とを設けたことを特徴とする超音波治療装置。」
(2)引用刊行物に記載された発明
　当審が平成13年７月18日付けで通知した取消しの理由で引用した刊行物（特開平2-299645号公報、異議申立人の提出した甲第１号証）には、超音波吸引装置に関して、第１〜７図とともに、以下の事項が記載されている。
　ア.「従来、超音波振動を利用する装置として、生体組織を切除して吸引する装置、あるいは体内にできた結石を破壊する装置等が知られている。このような装置として、例えば第５図に示すようなショートタイプのプローブ４をハンドピース25aとして用いた超音波メスがある。この超音波メスは、カバー２に覆われた超音波振動子１を駆動し、この超音波振動子１の振動を送水カバー３に覆われたプローブ４に伝え、これにより生体組織を切除するようになっている。そして、切除された生体組織は吸引チューブ６を介して第７図に示すような装置本体20により吸引され、除去されるようになっている。また、上記プローブ４は、プローブ４の振動により発生する熱によってプローブ４が破壊されるのを防止するために、送水チューブ５を介して送水を行いながら使用するようになっている。なお、上記超音波振動子１は、装置本体20からコード７を介して送られてくる制御信号により駆動されるようになっている。」（第１頁右欄第６行〜第２頁左上欄第４行）
　イ.「このような装置において、フットスイッチ21の一方を送水の制御のみに使用し、吸引は常時行うように構成したのもがある。しかし、かかる装置に、第６図に示すようなプローブ25bを接続して内視鏡的に使用する場合は、腹腔内にCO2ガス等を入気して腹部を膨らませて術を行う用途においては、常時吸引を行うので腹腔内気圧が減少してしまうという問題が生じる。」（第２頁左下欄第３〜10行）
　ウ.「そこで、フットスイッチ21にて操作できるモードを選択できるようにすることが容易に考えられる。例えば、フットスイッチ21の一方は、発振と同時に送水・吸引を行うモード、他方は送水モードと吸引モードとを選択できるようにしたものである。」（第２頁左下欄第16行〜右下欄第１行）
　エ.「この発明は、発振制御手段、送水制御手段、吸引制御手段の中の１つの手段の動作又は２つ以上の手段の同時動作を指示手段により適宜選択できるようにする」（第３頁左上欄第８〜11行）
　オ.「また、フットスイッチ43は２連式であり、スイッチ43aを押下するとスイッチ41a及び42の状態により送水又は吸引のいずれか一方を、スイッチ43bを押下すると発振、送水及び吸引を同時に行うようになっている。」（第４頁左下欄第５〜９行）
　
〔４〕対比・判断
　本件発明と上記刊行物の〔３〕の(2)ア.及びウ.に記載された事項（以下「引用例」という。）を対比すると、引用例の「超音波振動を利用する装置」、「体内にできた結石を破壊」、「フットスイッチ21の一方は、発振と同時に送水・吸引を行うモード」は、本件発明の「超音波発振手段」、「生体組織を破砕」、「超音波発振手段による超音波発振に連動して前記吸引手段による吸引を行う連動吸引モード」に相当するものと認められ、引例のものも当然「プローブの先端を生体組織に当接させることにより、生体組織を破砕」するものと認められるから、
　両者は、
「超音波発振手段によって超音波振動をブローブに伝達し、このプローブの先端を生体組織に当接させることにより、生体組織を破砕または乳化し、吸引手段によって前記組織を吸引除去する超音波治療装置において、前記超音波発振手段による超音波発振に連動して前記吸引手段による吸引を行う連動吸引モードとを有する制御手段」の点で一致しており、
（相違点１）
　本件発明は、「吸引手段による吸引を連続的に行うとともに、この吸引動作とは独立して超音波発振手段による超音波発振を制御可能な連続吸引モード」を有するのに対し、引用例は、その構成を有するのかどうかは明確でない点、
（相違点２）
　連続吸引モードと連動吸引モードにおいて、本件発明は、「これらのモードを切換えるための切換え手段」を設けたのに対し、引用例は、その構成を有するかどうか明確でない点、で相違する。
　そこで、上記相違点について検討する。
　上記相違点１について、上記〔３〕の(2)イ.には、「吸引手段による吸引を連続的に行うとともに、この吸引動作とは独立して前記超音波発振手段による超音波発振を制御可能な連続吸引モードを設けたこと」は、周知技術として記載されているから、引用例に上記周知技術を適用することは、当業者が適宜なし得るものである。
　また、上記相違点２について、上記〔３〕の(2)エ.には、「この発明は、発振制御手段、送水制御手段、吸引制御手段の中の１つの手段の動作又は２つ以上の手段の同時動作を指示手段により適宜選択できるようにする」と記載されていること、上記〔３〕の(2)オ.の記載、及び第３図にフットスイッチ43a、43bが適宜切り換えることができるようにされていることからみて周知技術と認められ、引用例にこれらの周知技術を適用することは、当業者が適宜なし得るものである。
　そして、本件発明の作用効果を参酌しても、引用例及び上記周知技術から当業者であれば予測できる程度のものである。
　したがって、本件発明は、引用例及び上記周知技術に記載された発明に基づいて当業者が容易に想到することができたものと認める。
　特許権者は、平成13年10月１日付け意見書において、「『連続吸引中に超音波発振を行う』ことが自明であるとして、この周知技術と前記刊行物の技術とを組み合わせて、本件特許発明の技術思想、すなわち、どのような吸引モード同士を切り換え制御するか（吸引動作と超音波発振とをどのように関連付けるか）といった技術思想にまで想到し得るとは思われない。」と主張しているが、吸引動作と超音波発振をどのように関連付けるか、組合せをどのようにするかは、上記技術が周知技術である以上、当業者が適宜なし得ることと認められるので、採用することができない。
　
〔５〕むすび
　以上のとおりであるから、本件発明は、引用例に記載された発明及び上記周知技術に基づいて当業者が容易に発明をすることができたものであるから、本件発明に係る特許は、特許法第２９条第２項の規定に違反してされたものである。
　したがって、本件発明についての特許は、特許法第113条第２号の規定に該当し、取り消されるべきものである。
　よって、結論のとおり決定する。
【異議決定日】
平成１３年１０月２５日（２００１．１０．２５）
【訂正の要旨】
　ア．訂正事項ａ
　特許請求の範囲に記載される「超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を常時行う連続吸引モードと、前記超音波発振手段による超音波発振に連動して前記吸引手段による吸引を行う連動吸引モードとを有する制御手段と、これらのモードを切換えるための切換え手段とを設けたことを特徴とする超音波治療装置。」を
「超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を連続的に行うとともに、この吸引動作とは独立して前記超音波発振手段による超音波発振を制御可能な連続吸引モードと、前記超音波発振手段による超音波発振に連動して前記吸引手段による吸引を行う連動吸引モードとを有する制御手段と、これらのモードを切換えるための切換え手段とを設けたことを特徴とする超音波治療装置。」と訂正する。
　イ．訂正事項ｂ
　発明の詳細な説明の段落【００１１】に記載される「本発明の超音波治療装置は、超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を常時行う連続吸引モードと、前記超音波発振手段による超音波発振に連動して前記吸引手段による吸引を行う連動吸引モードとを有する制御手段と、これらのモードを切換えるための切換え手段とを設けたことを特徴としている。従って、２つの吸引モードを選択可能に設けたことで、用途に応じて適切な吸引動作が選択される。」を
「本発明の超音波治療装置は、超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を連続的に行うとともに、この吸引動作とは独立して前記超音波発振手段による超音波発振を制御可能な連続吸引モードと、前記超音波発振手段による超音波発振に連動して前記吸引手段による吸引を行う連動吸引モードとを有する制御手段と、これらのモードを切換えるための切換え手段とを設けたことを特徴としている。従って、２つの吸引モードを選択可能に設けたことで、用途に応じて適切な吸引動作が選択される。」と訂正する。
（５４）【発明の名称】
超音波治療装置
（５７）【特許請求の範囲】
　【請求項１】　超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を
連続的に行なうとともに、この吸引動作とは独立して前記超音波発振手段による超音波発振を制御可能な
【発明の詳細な説明】
　【０００１】
　【産業上の利用分野】
　本発明は送水及び吸引機能を有する超音波治療装置に関する。
　【０００２】
　【従来の技術】
　超音波振動をプローブ先端に伝達し、このプロ−ブ先端を患部組織に当接させることにより、その組織を破砕または乳化し、吸引除去する超音波治療装置が知られている。その代表的な例を図８に示す。
　【０００３】
　この従来の超音波治療装置では、ハンドピース１に例えばボルト締めランジュバン振動子等の超音波振動子２が内蔵され、そこで発生した超音波振動はプローブ３に伝達される。そして、プローブ３を患部組織に当接すると、弾力性に富んだ血管は比較的温存され、その他の組織が破砕される。当接部位には生理食塩水等の灌流液が供給され、組織を湿らせて破砕による発熱を抑制する。破砕された組織は、灌流液と共にプローブ３の吸引孔を通して体外に吸引除去される。
　【０００４】
　装置本体５は、灌流液を送水するための送水ポンプ１０、超音波振動子２を駆動するための発振回路６、操作パネル１４及び制御回路１２等で構成されている。さらに、破砕した組織を体外に除去するための吸引装置８が設けられている。また、制御回路１２には術者が超音波発振、送水などを操作するためのフットスイッチ１４が接続されている。
　【０００５】
　このような超音波治療装置では、ハンドピース１の把持部からプローブ３先端までの長さが十数ｃｍのショートタイプ、プローブの一部が屈曲したタイプ、プローブが２０ｃｍ以上のロングタイプなどがあり、それぞれ用途によって使い分けられている。例えば、肝臓の切除手術ではショートタイプ、また脳外科手術等の顕微鏡下で行う手術では屈曲したタイプが使用され、血管を傷つけずに不要な組織を除去または切除できるので有用である。
　【０００６】
　また、このような超音波治療装置では、プローブ先端での吸引動作が常に行われている。そして、開復による手術や脳外科手術においては、ショートタイプや屈曲タイプのプローブが装着されたハンドピースを用いて処置を行うが、プロ−ブを吸引管として使用し、常時血液等を吸引して術野を確保することは重要である。
　【０００７】
　一方、最近注目を集めている低侵襲手術、例えば腹腔内視鏡を用いた胆嚢摘出術や産婦人科での処置に上記のような超音波治療装置が応用され始めている。この手術は腹腔内にガスを充填して空間を作り、ロングタイプのプローブを腹腔内に挿入して不要組織の切除、吸引等を行うものである。
　【０００８】
　【発明が解決しようとする課題】
　しかしながら、上述のように常時吸引動作を行うと、腹腔内に充填したガスも同時に吸引し、腹腔内圧を低下させてしまうという問題がある。そして、腹腔内圧が低下すると、術野が確保できず手術の進行を妨げてしまう。しかし、超音波切除の際に吸引動作は必要であり、また腹腔内に溜まる洗浄液や血液を吸引することも必要である。
　【０００９】
　また、従来の超音波治療装置は、フットスイッチによってハンドピース先端のシース部分から送水を行う機能を有し、切除部分の状態を見るために血液を洗い流したり、組織の出血を確認することができる。しかし、送水しながら常時吸引を行うと、洗浄用の灌流液をプローブ先端で吸ってしまうことになり、実際に術野に供給される送水量が減ってしまうことになる。或いは、送水ポンプの送水能力が弱い場合には、組織を洗浄するのに充分な送水量が得られないという問題がる。
　【００１０】
　また、超音波治療装置の送水機能は、プローブの振動による発熱を防止する目的もあり、本装置を使用する前の準備として、プローブの近傍に灌流液を貯留するため、装置側からハンドピース先端まで送水する必要がある。しかしながら、従来の超音波治療装置では、術者がフットスイッチで送水操作を行うので不便である。さらに、送水を行うときに吸引が停止していると、ハンドピースの先端から不用意に灌流液が飛び出すこともある。本発明は上記課題に着目してなされたものであり、その目的は用途に応じて吸引動作を選択制御できる超音波治療装置を提供することにある。
　【００１１】
　【課題を解決するための手段及び作用】
　本発明の超音波治療装置は、超音波発振手段によって超音波振動をプローブに伝達し、このプローブの先端を生体組織に当接させることにより、生体組織を破砕または乳化し、吸引手段によって前記組織を吸引除去する超音波治療装置において、前記吸引手段による吸引を
連続的に行なうとともに、この吸引動作とは独立して前記超音波発振手段による超音波発振を制御可能な
　【００１２】
　【実施例】
　以下図面を参照しながら本発明の実施例について説明する。
　【００１３】
　図１に示すようにハンドピース１には、例えばボルト締めランジュバン型振動子等からなる超音波振動子２が内蔵され、超音波振動子２で発生した超音波振動は、ハンドピ−ス１の先端部分に設けられたプローブ３に伝達される。超音波振動子２はケ−ブル４を介して装置本体５に設けられた発振回路６に接続されている。この実施例ではプローブ３として、ショートタイプのプローブが装着されている。
　【００１４】
　プローブ３の内部には図示しない吸引孔が形成され、この吸引孔は吸引チュ−ブ等からなる吸引路７を介して吸引装置８に接続されている。また、プロ−ブ３の外周には図示しない灌流液送水用の送水孔が形成され、この送水孔は送水チュ−ブ等からなる送水路９を介して装置本体５に設けられた送水ポンプ１０に接続されている。従って、送水ポンプ１０によって生理食塩水などの灌流液を送水路９及び送水孔を介して処置部に供給し、供給された灌流液は、吸引装置８によってプローブ３の吸引孔及び吸引路７を介して体外に吸引除去することができる。
　【００１５】
　さらに、装置本体５にはピンチバルブ１１が設けられ、このピンチバルブ１１は、吸引路７を開閉するためのピンチ部材１１ａを有している。従って、ピンチ部材１１ａにより吸引路７を開閉することで、吸引装置８の吸引動作を制御することができる。そして、装置本体５には、発振回路６と送水ポンプ１０とピンチバルブ１１に接続された制御回路１２と、この制御回路１２に信号を送るための操作パネル１４が設けられている。また、制御回路１２には術者が超音波発振、送水などを制御するためのフットスイッチ１４が接続されている。操作パネル１４には、２種類の吸引モードを設定するためのスイッチ１６ａ，１６ｂを有するモード切換スイッチ１６が設けられている。次に、本実施例に係わる超音波治療装置の作用について説明する。
　【００１６】
　まず、発振回路６から高周波電力をハンドピ−ス１の超音波振動子２に供給し、超音波振動子２によって発生した超音波振動はプローブ３の先端に伝達される。そして、超音波振動するプロ−ブ３の先端で切除した組織は、プロ−ブ３の吸引孔と吸引路７を通って吸引装置８へ吸引される。この吸引動作は、装置本体５に設けられたピンチバルブ１１のピンチ部材１１ａにより、吸引路７を開閉することで制御される。この吸引動作の制御は所定の吸引モ−ドに従って実行されるが、この吸引モードは操作パネル１４に設けられた吸引モード切換スイッチ１６により選択される。
　【００１７】
　上記制御回路１２には、スイッチ１６ａによって作動する連続吸引モ−ドと、スイッチ１６ｂによって作動する連動吸引モ−ドとが設定されている。まず、連続吸引モードを選択した場合には、ピンチバルブ１２は常に開いた状態となる。そのため、図２（ａ）に示すように、超音波発振のオン・オフに拘らず吸引動作は連続して行われる。
　【００１８】
　次に、連動吸引モードを選択した場合には、ピンチバルブ１２は通常閉じた状態となる。そして、図２（ｂ）に示すようにフットスイッチにより超音波発振をオンした時、これに連動してピンチバルブ１１が開成して吸引が開始される。また、フットスイッチ１４に設けられた吸引ペダル（図示せず）を踏んだ時にもピンチバルブ１１が開成し、これによって術者の意図した時だけ吸引を行うことができる。この第１の実施例では、吸引動作の連続モードと連動モードとを設けたことにより、各種手術に応じて超音波治療装置の使用が可能となる。図３及び図４は本発明の第２の実施例を示している。
　【００１９】
　この第２の実施例は、吸引路７の途中にリークバルブ２０を設けたことが第１の実施例と異なっている。その他の構成は第１の実施例と同一であり、その説明は省略する。この第２実施例の動作を図４を参照しながら説明する。
　【００２０】
　まず、モ−ド切換スイッチ１６によって連続吸引モードを選択した場合には、ピンチバルブ１１およびリークバルブ２０は、図４（ａ）のタイムチャ−トに示すように動作する。すなわち、超音波振動子２の発振がオフした時に、ピンチバルブ１１を一瞬閉じて、その間にリークバルブ２０を開放する。その結果、吸引が一瞬停止されると共に、プローブ３の先端からピンチバルブ１１までの間の吸引路７がリ−クバルブ２０を介して大気中に開放される。これによって、プロ−ブ３による組織の切除を停止した際に、プローブ３の先端に吸着している組織を離脱させることができる。
　【００２１】
　一方、モ−ド切換スイッチ１６によって連動吸引モードを選択した場合には、ピンチバルブ１１及びリ−クバルブ２０は、図４（ｂ）に示すように動作する。すなわち、吸引動作は超音波発振に連動し、しかも、連続モ−ドと同様に超音波発振の停止時にリークバルブ２０が一瞬開くことで組織の吸いつきを解除できる。この第２の実施例では、第１の実施例の作用に加えて超音波発振の停止時に組織の吸着を解除することができる。図５ないし図７は、本発明の第３の実施例を示している。この第３の実施例では、第１の実施例と同じ部材には同じ符号を付して、その説明は省略する。
　【００２２】
　図５に示すように操作パネル１４には、吸引モード選択スイッチ１６と送水動作スイッチ２２とが設けられ、また、送水ポンプ１０ａは、制御回路１２からの信号により、通常回転モードと高速回転モードで動作するように構成されている。さらに、フットスイッチ１４ａは、送水ペダル１５ａと吸引ペダル１５ｂと超音波発振ペダル１５ｃとを備えている。上記送水ポンプ１０ａの動作を図６を参照しながら説明する。
　【００２３】
　送水ポンプ１０ａは、制御回路１２からの信号によってその送水量を変更できるように構成されている。つまり、送水ポンプ１０ａの駆動モードは、プローブ３の振動による発熱を冷却するために少量の送水を行う通常回転モードと、プローブ３の近傍から多量の灌流液を噴出させ、処置部の組織を洗浄するための高速回転モードとが設定されている。通常回転モードでは、操作者の設定により例えば０〜２００ｍｌ／ｍｉｎの間の送水量が得られ、高速回転モードでは、例えば４００ｍｌ／ｍｉｎの一定した送水量が得られる。
　【００２４】
　図６に示すように、フットスイッチ１０ａの超音波発振ペダル１５ｃをオンすると、プローブ３が超音波振動するとともに、設定された水量のプローブ冷却用の灌流水がプローブ３に供給される。例えば、設定値１及び設定値２の水量で送水が行われる。また、送水ペダル１５ａをオンすると、送水ポンプ１０ａは高速回転し、固定された一定の水量で高速洗浄を行い、処置部を洗浄するのに十分な給水が行われる。
　【００２５】
　次に、送水動作スイッチ２２の機能について図７を参照しながら説明する。送水ポンプ１０ａは、上記のようにフットスイッチ１４ａの超音波発振ペダル１５ｃと送水ペダル１５ａをオンしたときに作動し、その他の場合は、操作パネル１４の送水動作スイッチ２２によって作動するように構成されている。
　【００２６】
　この送水動作スイッチ２２によって、手術前の装置の準備あるいは術中のハンドピース交換におけるプローブ近傍への灌流液の供給を、術者以外が行うことができる。ここで、準備のための送水時に吸引モードが図７（ａ）に示す連続吸引モードである場合、プローブ先端で吸引が行われているので、送水した灌流液は吸引回収され、プロ−ブ先端から灌流液が不用意に噴出することはない。しかし、送水ペダル１５ａにより送水を行う場合には、術者が操作して術部を洗浄する目的があるため、上述のように灌流液がプロ−ブから吸引されるのは好ましくない。そこで、図７（ａ）に示すように送水ペダル１５ａと連動してピンチバルブ１１を閉じて吸引を停止し、送水される灌流液がすべて術部に供給されるようにしている。
　【００２７】
　一方、吸引モードが図７（ｂ）示す連動吸引モードである場合には、プローブ先端での吸引が通常停止しているので、送水動作スイッチ２２による準備のための送水時に灌流液が噴出してしまう。しかし、送水ペダル１５ａによる送水の際には吸引が停止していると都合がよい。そこで、連動吸引モ−ドの場合には送水動作スイッチ２２による送水時だけピンチバルブ１１を開成し、吸引を行ってプローブ３の先端で灌流液を回収するようにしている。
　【００２８】
　このように第３の実施例では送水ポンプを効果的に使用し、吸引を制御するピンチバルブの動作を組み合わせ、使用目的にあった送水動作を行うことができる。
　【００２９】
　【発明の効果】
　以上説明したように、本発明の超音波治療装置は各種の手術に利用することができる。例えば、従来の装置では不都合が多かった腹腔手術においても使用が可能となり、超音波治療装置の特徴を生かした安全な手術を行うことができる。
【図面の簡単な説明】
　【図１】
　本発明の第１実施例に係わる超音波治療装置の構成図である。
　【図２】
　第１実施例に係わる超音波治療装置の動作を示すタイムチャ−トである。
　【図３】
　本発明の第２実施例に係わる超音波治療装置の構成図である。
　【図４】
　第２実施例に係わる超音波治療装置の動作を示すタイムチャ−トである。
　【図５】
　本発明の第３実施例に係わる超音波治療装置の構成図である。
　【図６】
　第３実施例に係わる超音波治療装置の動作を示すタイムチャ−トである。
　【図７】
　第３実施例に係わる超音波治療装置の動作を示すタイムチャ−トである。
　【図８】
　従来の超音波治療装置の構成図である。
　【符号の説明】
　２…超音波振動子（超音波発振手段）、３…プロ−ブ、８…吸引装置（吸引手段）、１２…制御回路（制御手段）、１６…モ−ド切換スイッチ（切換え手段）。